(57)【要約】【課題】所望の表示輝度を実現しつつ装置の消費電力を高精度に低減できる技術を提供する。【解決手段】本発明の発光制御装置は、発光部と表示部を有する表示装置の発光部の発光を制御する装置であって、フレーム期間における表示部の透過率の時間変化を画像データに基づいて判断する判断手段と、判断手段の判断結果に基づいて、フレーム期間における複数の部分期間のそれぞれについて、発光部に供給するパルスのパルス幅とパルス振幅とパルス位置を決定する決定手段と、を有し、決定手段は、各部分期間について、対象の部分期間における表示部の透過率が相対的に高い期間にパルスが設定されるように、パルス位置を決定し、表示部の透過率が略一定の部分期間である安定期間について、表示部の透過率が略一定でない部分期間である不安定期間のパルス幅およびパルス振幅とは異なるパルス幅およびパルス振幅を決定する。【選択図】図１
2019105802.tif 000002
【特許請求の範囲】
【請求項１】
発光部と、前記発光部から発せられた光を画像データに基づいて透過することで表示面に画像を表示する表示部とを有する表示装置の前記発光部の発光を制御する発光制御装置であって、
前記画像データに基づいて、前記画像データの１フレームが表示されるフレーム期間における前記表示部の透過率の時間変化を判断する判断手段と、
前記判断手段の判断結果に基づいて、前記フレーム期間に目標光量の光が前記表示部から発せられるように、前記フレーム期間における複数の部分期間のそれぞれについて、前記発光部に供給するパルスの幅であるパルス幅、当該パルスの振幅であるパルス振幅、及び、対象の部分期間に対する当該パルスの相対位置であるパルス位置を決定する決定手段と、
を有し、
前記決定手段は、
各部分期間について、対象の部分期間における前記表示部の透過率が相対的に高い期間にパルスが設定されるように、パルス位置を決定し、
前記表示部の透過率が略一定の部分期間である安定期間について、前記表示部の透過率が略一定でない部分期間である不安定期間のパルス幅およびパルス振幅とは異なるパルス幅およびパルス振幅を決定する
ことを特徴とする発光制御装置。
【請求項２】
前記決定手段は、前記安定期間と前記不安定期間のうち、前記表示部の透過率がより高い方の部分期間について、他方の部分期間のパルス振幅よりも小さいパルス振幅を決定する
ことを特徴とする請求項１に記載の発光制御装置。
【請求項３】
前記フレーム期間おいて前記表示部の透過率が徐々に増加する場合に、前記決定手段は、前記安定期間について、前記不安定期間のパルス振幅よりも小さいパルス振幅を決定する
ことを特徴とする請求項１または２に記載の発光制御装置。
【請求項４】
前記フレーム期間おいて前記表示部の透過率が徐々に低下する場合に、前記決定手段は、前記不安定期間について、前記安定期間のパルス振幅よりも小さいパルス振幅を決定する
ことを特徴とする請求項１〜３のいずれか１項に記載の発光制御装置。
【請求項５】
前記決定手段は、
前記安定期間と前記不安定期間のうち、前記表示部の透過率がより高い方の部分期間について、前記フレーム期間に前記目標光量の光が前記表示部から発せられ、且つ、前記複数の部分期間の間でパルス幅、パルス振幅、及び、パルス位置が等しい参照状態での前記パルス振幅よりも小さいパルス振幅を決定する
ことを特徴とする請求項１〜４のいずれか１項に記載の発光制御装置。
【請求項６】
前記フレーム期間おいて前記表示部の透過率が徐々に増加する場合に、前記決定手段は、前記安定期間について、前記参照状態での前記パルス振幅よりも小さいパルス振幅を決定する
ことを特徴とする請求項５に記載の発光制御装置。
【請求項７】
前記フレーム期間おいて前記表示部の透過率が徐々に低下する場合に、前記決定手段は、前記不安定期間について、前記参照状態での前記パルス振幅よりも小さいパルス振幅を
決定する
ことを特徴とする請求項５または６に記載の発光制御装置。
【請求項８】
前記フレーム期間おいて前記表示部の透過率が徐々に増加する場合に、前記決定手段は、各部分期間について、対象の部分期間の終了タイミングにパルスの終了タイミングが略一致するように、パルス位置を決定する
ことを特徴とする請求項１〜７のいずれか１項に記載の発光制御装置。
【請求項９】
前記フレーム期間おいて前記表示部の透過率が徐々に低下する場合に、前記決定手段は、各部分期間について、対象の部分期間の開始タイミングにパルスの開始タイミングが略一致するように、パルス位置を決定する
ことを特徴とする請求項１〜８のいずれか１項に記載の発光制御装置。
【請求項１０】
前記安定期間は、前記表示部の透過率の時間変化の変化幅が第１閾値未満の部分期間であり、
前記不安定期間は、前記表示部の透過率の時間変化の変化幅が前記第１閾値以上の部分期間である
ことを特徴とする請求項１〜９のいずれか１項に記載の発光制御装置。
【請求項１１】
前記フレーム期間において前記表示部の透過率が第２閾値以上の変化幅で時間変化し、且つ、前記複数の部分期間のうちの前記表示部の透過率が相対的に高い分割期間のみで前記表示部からの前記目標光量の光が実現可能である場合に、各部分期間が前記安定期間であるか前記不安定期間であるかに拘わらずに、前記決定手段は、前記表示部の透過率が相対的に高い前記分割期間についてのみパルスを設定する
ことを特徴とする請求項１〜１０のいずれか１項に記載の発光制御装置。
【請求項１２】
前記フレーム期間に前記目標光量の光が前記表示部から発せられ、且つ、前記複数の部分期間の間でパルス幅、パルス振幅、及び、パルス位置が等しい参照状態での前記パルス幅は、前記画像データに基づくパルス幅であり、
前記参照状態での前記パルス幅が第３閾値以上である場合に、前記決定手段は、前記安定期間と前記不安定期間のうち、前記表示部の透過率がより高い方の部分期間について、前記参照状態での前記パルス幅を採用する
ことを特徴とする請求項１〜１１のいずれか１項に記載の発光制御装置。
【請求項１３】
前記発光部は、前記表示面の複数の領域にそれぞれ対応する複数の光源部を有し、
前記判断手段は、前記表示面の前記複数の領域のそれぞれについて、前記フレーム期間における前記表示部の透過率の時間変化を判断し、
前記決定手段は、前記複数の光源部のそれぞれについて、パルス幅、パルス振幅、及び、パルス位置を決定する
ことを特徴とする請求項１〜１２のいずれか１項に記載の発光制御装置。
【請求項１４】
発光部と、前記発光部から発せられた光を画像データに基づいて透過することで表示面に画像を表示する表示部とを有する表示装置の前記発光部の発光を制御する発光制御方法であって、
前記画像データに基づいて、前記画像データの１フレームが表示されるフレーム期間における前記表示部の透過率の時間変化を判断する判断ステップと、
前記判断ステップの判断結果に基づいて、前記フレーム期間に目標光量の光が前記表示部から発せられるように、前記フレーム期間における複数の部分期間のそれぞれについて、前記発光部に供給するパルスの幅であるパルス幅、当該パルスの振幅であるパルス振幅、及び、対象の部分期間に対する当該パルスの相対位置であるパルス位置を決定する決定
ステップと、
を有し、
前記決定ステップでは、
各部分期間について、対象の部分期間における前記表示部の透過率が相対的に高い期間にパルスが設定されるように、パルス位置を決定し、
前記表示部の透過率が略一定の部分期間である安定期間について、前記表示部の透過率が略一定でない部分期間である不安定期間のパルス幅およびパルス振幅とは異なるパルス幅およびパルス振幅を決定する
ことを特徴とする発光制御方法。
【請求項１５】
コンピュータを請求項１〜１３のいずれか１項に記載の発光制御装置の各手段として機能させるためのプログラム。
【発明の詳細な説明】
【技術分野】
【０００１】
本発明は、発光制御装置および発光制御方法に関する。
【背景技術】
【０００２】
近年、液晶表示装置に対するユーザの要求レベルが高まっている。特に、表示の高輝度化、装置の低消費電力化、等に対する要求レベルは高い。屋外で液晶表示装置を使用する場合などにおいて、液晶表示装置はバッテリで駆動されることがある。液晶表示装置がバッテリで駆動される場合には、表示の高輝度化と、装置の低消費電力化とを両立することは難しい。
【０００３】
液晶表示装置では、液晶パネルが自発光パネルではないため、ＬＥＤ（Ｌｉｇｈｔ  Ｅｍｉｔｔｉｎｇ  Ｄｉｏｄｅ）などを光源とするバックライト装置が必要となる。バックライト装置の発光量の制御方法として、ＰＡＭ（Ｐｕｌｓｅ  Ａｍｐｌｉｔｕｄｅ  Ｍｏｄｕｌａｔｉｏｎ）制御、ＰＷＭ（Ｐｕｌｓｅ  Ｗｉｄｔｈ  Ｍｏｄｕｌａｔｉｏｎ）制御、ＰＡＭ制御とＰＷＭ制御の組み合わせ、等がある。
【０００４】
ＰＡＭ制御は、バックライト装置に供給するパルスの振幅であるパルス振幅を制御する制御方法である。バックライト装置に供給する電流の電流値（ＤＣ値）を制御することにより、パルス振幅を制御できる。ＰＷＭ制御は、バックライト装置に供給するパルスの幅であるパルス幅を制御する制御方法である。バックライト装置に供給する電流の供給時間を制御することにより、パルス幅を制御できる。液晶表示装置では、画像データの１フレームが表示されるフレーム期間に、当該フレーム期間に対応するパルスが設定される。ＰＷＭ制御では、パルス幅が制御されることにより、バックライト装置のデューティ比（フレーム期間におけるバックライト装置の点灯期間の長さ（時間）と、当該フレーム期間におけるバックライト装置の消灯期間の長さとの比）が制御される。
【０００５】
長いフレーム期間に１つのパルスが設定されると、バックライト装置の点滅によるちらつき（フリッカ）をユーザが知覚することがある。そのため、画像データのフレーム周波数よりも高い周波数でパルスの設定を行うのが一般的である。例えば、画像データのフレーム周波数が６０Ｈｚである場合に、フレーム期間における複数のサブフレーム期間（部分期間）が設定され、当該複数のサブフレーム期間のそれぞれにパルスが設定される。
【０００６】
ここで、液晶パネルへの電圧（画像データに基づく電圧）の印加開始から、液晶パネルの透過率が所望の透過率（画像データに基づく透過率）に達するまでに、或る程度の時間を要することが知られている。そして、所望の表示輝度を実現するためには、液晶パネルの透過率の時間変化が生じている期間にもバックライト装置の点灯を要することがある。その場合には、バックライト装置から発せられた光が液晶パネルを十分に透過しないなどにより、バックライト装置の発光量の無駄が少なからず生じる。特に、複数のサブフレーム期間の間でパルス幅、パルス振幅、及び、サブフレーム期間に対するパルスの相対位置であるパルス位置が等しい場合には、上記発光量の無駄が大きく、電力効率が悪い。すなわち、所望の表示輝度を実現できても、装置の消費電力を十分に低減できない。なお、表示輝度は、フレーム期間に液晶パネルから発せられる光の総光量に対応する。
【０００７】
特許文献１には、フレーム期間の後半でバックライト装置を多く点灯させる技術が記載されている。特許文献１に記載の技術によれば、フレーム期間に液晶パネルの透過率が徐々に増加する場合に、透過率が高い期間にバックライト装置の点灯が行われるため、電力効率が改善される。
【先行技術文献】
【特許文献】
【０００８】
【特許文献１】特開２００９−１５８２７５号公報
【発明の概要】
【発明が解決しようとする課題】
【０００９】
しかしながら、画像データは様々であるため、液晶パネルの透過率の時間変化もさまざまである。そのため、特許文献１に記載の技術を用いても、電力効率が改善されないことがある。例えば、フレーム期間に液晶パネルの透過率が徐々に低下する場合に、透過率が低い期間にバックライト装置の点灯が行われるため、電力効率が改善されない。
【００１０】
本発明は、所望の表示輝度を実現しつつ装置の消費電力を高精度に低減できる技術を提供することを目的とする。
【課題を解決するための手段】
【００１１】
本発明の第１の態様は、
発光部と、前記発光部から発せられた光を画像データに基づいて透過することで表示面に画像を表示する表示部とを有する表示装置の前記発光部の発光を制御する発光制御装置であって、
前記画像データに基づいて、前記画像データの１フレームが表示されるフレーム期間における前記表示部の透過率の時間変化を判断する判断手段と、
前記判断手段の判断結果に基づいて、前記フレーム期間に目標光量の光が前記表示部から発せられるように、前記フレーム期間における複数の部分期間のそれぞれについて、前記発光部に供給するパルスの幅であるパルス幅、当該パルスの振幅であるパルス振幅、及び、対象の部分期間に対する当該パルスの相対位置であるパルス位置を決定する決定手段と、
を有し、
前記決定手段は、
各部分期間について、対象の部分期間における前記表示部の透過率が相対的に高い期間にパルスが設定されるように、パルス位置を決定し、
前記表示部の透過率が略一定の部分期間である安定期間について、前記表示部の透過率が略一定でない部分期間である不安定期間のパルス幅およびパルス振幅とは異なるパルス幅およびパルス振幅を決定する
ことを特徴とする発光制御装置である。
【００１２】
本発明の第２の態様は、
発光部と、前記発光部から発せられた光を画像データに基づいて透過することで表示面に画像を表示する表示部とを有する表示装置の前記発光部の発光を制御する発光制御方法であって、
前記画像データに基づいて、前記画像データの１フレームが表示されるフレーム期間における前記表示部の透過率の時間変化を判断する判断ステップと、
前記判断ステップの判断結果に基づいて、前記フレーム期間に目標光量の光が前記表示部から発せられるように、前記フレーム期間における複数の部分期間のそれぞれについて、前記発光部に供給するパルスの幅であるパルス幅、当該パルスの振幅であるパルス振幅、及び、対象の部分期間に対する当該パルスの相対位置であるパルス位置を決定する決定ステップと、
を有し、
前記決定ステップでは、
各部分期間について、対象の部分期間における前記表示部の透過率が相対的に高い期
間にパルスが設定されるように、パルス位置を決定し、
前記表示部の透過率が略一定の部分期間である安定期間について、前記表示部の透過率が略一定でない部分期間である不安定期間のパルス幅およびパルス振幅とは異なるパルス幅およびパルス振幅を決定する
ことを特徴とする発光制御方法である。
【００１３】
本発明の第３の態様は、コンピュータを請求項１〜１３のいずれか１項に記載の発光制御装置の各手段として機能させるためのプログラムである。
【発明の効果】
【００１４】
本発明によれば、所望の表示輝度を実現しつつ装置の消費電力を高精度に低減できる。
【図面の簡単な説明】
【００１５】
【図１】実施例１に係る液晶表示装置の構成例を示すブロック図
【図２】実施例１に係るバックライト装置の構成例を示す図
【図３】実施例１に係るバックライト制御装置の処理フロー例を示すフロー図
【図４】実施例１に係る液晶パネルの透過率の時間変化の一例を示す
【図５】実施例１に係るパルスの決定方法の具体例を示す図
【図６】実施例１において得られる効果の具体例を示す図
【図７】実施例２に係るバックライト制御装置の処理フロー例を示すフロー図
【図８】実施例２において得られる効果の具体例を示す図
【図９】実施例３に係るバックライト制御装置の処理フロー例を示すフロー図
【発明を実施するための形態】
【００１６】
＜実施例１＞
以下、本発明の実施例１について説明する。本実施例に係る発光制御装置は、発光部と、発光部から発せられた光を画像データに基づいて透過することで表示面に画像を表示する表示部とを有する表示装置の当該発光部の発光を制御する。以下では、液晶表示装置に発光制御装置が設けられた例を説明する。なお、発光制御装置は液晶表示装置とは別体の装置（パーソナルコンピュータなど）であってもよい。表示装置は、液晶表示装置でなくてもよい。例えば、表示装置は、液晶パネルの代わりにＭＥＭＳ（Ｍｉｃｒｏ  Ｅｌｅｃｔｒｏ  Ｍｅｃｈａｎｉｃａｌ  Ｓｙｓｔｅｍ）シャッター方式の表示パネルを有していてもよい。表示装置はプロジェクタであってもよい。
【００１７】
本実施例に係る液晶表示装置の構成例について説明する。図１は、本実施例に係る液晶表示装置の構成例を示すブロック図である。本実施例に係る液晶表示装置は、バックライト制御装置１００、バックライト装置２００、ローカル・ディミング制御部３００、液晶パネル駆動部４００、及び、液晶パネル５００を有する。
【００１８】
バックライト装置２００は、液晶パネル５００の背面に光を照射する発光部である。図２は、バックライト装置２００の構成例を示す。バックライト装置２００は、表示面の複数の部分領域にそれぞれ対応する複数の光源部２０１を有する。各光源部２０１の発光は、個別に制御可能である。図２では、複数の部分領域は、表示面を構成する複数の分割領域５０１である。複数の分割領域５０１はマトリクス状に配置されており、各分割領域５０１の形状は矩形である。各光源部２０１は、１つ以上の光源（発光素子）を有する。光源は、ＬＥＤ（Ｌｉｇｈｔ  Ｅｍｉｔｔｉｎｇ  Ｄｉｏｄｅ）、有機ＥＬ（Ｅｌｅｃｔｒｏ  Ｌｕｍｉｎｅｓｃｅｎｃｅ）素子、冷陰極管、等である。図２では、各光源部２０１は４つのＬＥＤ２０２を有する。
【００１９】
なお、部分領域の形状、部分領域の数、部分領域の配置、光源部の数、光源部の配置、
光源の数、光源の配置、等は特に限定されない。例えば、複数の部分領域が千鳥格子状に配置されていてもよい。部分領域は分割領域でなくてもよい。例えば、部分領域は他の部分領域から離れていてもよいし、部分領域の少なくとも一部は他の部分領域の少なくとも一部に重なっていてもよい。部分領域と光源部の対応関係は、１対１の対応関係でなくてもよい。例えば、１つの部分領域に対して２つ以上の光源部が対応付けられていてもよい。光源部の数は１つであってもよい。その場合には、部分領域のように光源部に対応する領域は、表示面全体であってもよいし、表示面の一部であってもよい。
【００２０】
液晶パネル５００は、バックライト装置２００から発せられた光を画像データ（液晶表示装置に入力された画像データ；入力画像データ）に基づいて透過することで表示面に画像を表示する表示部である。
【００２１】
液晶パネル駆動部４００は、入力画像データに基づいて、液晶パネル５００の透過率を制御する駆動回路である。具体的には、液晶パネル駆動部４００は、入力画像データに基づいて、液晶パネル５００に印加する電圧を制御する。
【００２２】
ローカル・ディミング制御部３００は、入力画像データに基づいて、目標光量を決定する。目標光量は、入力画像データの１フレームが表示されるフレーム期間に液晶パネル５００から発せられる光の光量の目標である。本実施例では、各分割領域５０１について、入力画像データの、対象の分割領域５０１に表示される部分に基づいて、目標光量が決定される。フレーム期間は、例えば、入力画像データのフレーム周波数に対応する周波数で生成されるクロック信号から判断される。なお、ローカル・ディミング制御部３００では、フレーム期間にバックライト装置２００（光源部２０１）から発せられる光の光量の目標などが決定されてもよい。
【００２３】
バックライト制御装置１００は、ローカル・ディミング制御部３００によって決定された目標光量に基づいて、バックライト装置２００の発光を制御する発光制御装置である。本実施例では、各光源部２０１について、対象の光源部２０１に対応する分割領域５０１に対して決定された目標光量に基づいて、対象の光源部２０１の発光が制御される。
【００２４】
バックライト制御装置１００は、パネル電圧決定部１０１、電圧差算出部１０２、透過率判断部１０３、パネル応答性データ記憶部１０４、パルス決定部１０５、ＢＬ効率データ記憶部１０６、及び、ＢＬ駆動部１０７を有する。
【００２５】
パネル電圧決定部１０１は、入力画像データの階調値と、液晶パネル５００（液晶パネル５００が有する表示素子である液晶素子）に印加する電圧との対応関係に関する情報が予め記録された不図示のＲＡＭを有する。パネル電圧決定部１０１は、入力画像データに基づいて、液晶パネル５００の各液晶素子に印加する電圧を決定する。そして、パネル電圧決定部１０１は、決定した電圧を自身のＲＡＭに記録する。電圧は、各フレームについて決定される。パネル電圧決定部１０１のＲＡＭは、入力画像データの２フレーム（現在の処理対象である現フレーム、及び、現フレームの１つ前のフレームである前フレーム）分の電圧を保持する。
【００２６】
電圧差算出部１０２は、現フレームに対してパネル電圧決定部１０１が決定した電圧と、前フレームに対してパネル電圧決定部１０１が決定した電圧とから、それらの差（電圧差）を算出する。電圧差算出部１０２は、各分割領域５０１について平均的な電圧差を算出する。具体的には、パネル電圧決定部１０１または電圧差算出部１０２は、各分割領域５０１について、対象の分割領域５０１にある複数の液晶素子にそれぞれ対応する複数の電圧の平均（平均素子電圧）を算出する。そして、電圧差算出部１０２は、各分割領域５０１について、現フレームの平均素子電圧と前フレームの平均素子電圧との差を算出する
。なお、電圧差算出部１０２は、各液晶素子について電圧差（素子電圧差）を算出し、各分割領域５０１について、対象の分割領域５０１にある複数の液晶素子にそれぞれ対応する複数の素子電圧差の平均を算出してもよい。平均値の代わりに、最大値、最小値、最頻値、中間値、等が使用されてもよい。
【００２７】
パネル応答性データ記憶部１０４には、パネル応答性データが予め記録されている。パネル応答性データは、連続する２フレーム間における電圧差（液晶パネル５００に印加する電圧の差）と、当該２フレームのうち時間的に後のフレームのフレーム期間における液晶パネル５００の透過率の時間変化との対応関係に関するデータである。
【００２８】
透過率判断部１０３は、入力画像データに基づいて、現フレーム期間（現フレームのフレーム期間）における液晶パネル５００の透過率の時間変化を判断する。具体的には、透過率判断部１０３は、各分割領域５０１について、対象の分割領域５０１に対して電圧差算出部１０２が算出した電圧差と、パネル応答性データ記憶部１０４が記憶するパネル応答性データとに基づいて、上記時間変化を判断する。
【００２９】
本実施形態では、フレーム期間内に複数の部分期間（サブフレーム期間）が予め設定されている。具体的には、フレーム期間を構成する複数の分割期間が、複数のサブフレーム期間として予め設定されている。透過率判断部１０３は、上記時間変化から、現サブフレーム期間（現在の処理対象であるサブフレーム期間；現フレーム期間におけるサブフレーム期間）が安定期間か不安定期間かを判断する。サブフレーム期間が安定期間か不安定期間かの判断も、各分割領域５０１について行われる。安定期間は、液晶パネル５００の透過率が略一定の期間であり、不安定期間は、液晶パネル５００の透過率が略一定でない期間である（「略」は「完全」を含む）。安定期間は、液晶パネル５００の透過率が収束している収束期間とも言え、不安定期間は、液晶パネル５００の透過率が収束していない非収束期間とも言える。なお、フレーム期間におけるサブフレーム期間の数は特に限定されない。また、サブフレーム期間は分割期間に限られない。例えば、フレーム期間における複数のサブフレーム期間は、互いに離れた複数の期間であってもよい。
【００３０】
ＢＬ効率データ記憶部１０６には、ＢＬ効率データが予め記録されている。ＢＬ効率データは、バックライト装置２００（光源部２０１）に供給する電流の電流値と、バックライト装置２００の発光効率との対応関係に関するデータである。
【００３１】
パルス決定部１０５は、各サブフレーム期間について、現フレームの目標光量、ＢＬ効率データ記憶部１０６が記憶するＢＬ効率データ、及び、透過率判断部１０３の判断結果に基づいて、バックライト装置２００に供給するパルス（電流パルス）を決定する。具体的には、各光源部２０１について、目標光量、ＢＬ効率データ、及び、対象の光源部２０１に対応する分割領域５０１に対する透過率判断部１０３の判断結果に基づいて、現サブフレーム期間に対象の光源部２０１に供給するパルスが決定される。本実施形態では、フレーム期間に目標光量の光が液晶パネル５００から発せられるようにパルスが決定される。
【００３２】
パルス決定部１０５は、パルス幅決定部１０５−１、パルス振幅決定部１０５−２、及び、パルス位置決定部１０５−３を有する。パルス幅決定部１０５−１は、パルスの幅であるパルス幅を決定し、パルス振幅決定部１０５−２は、パルスの振幅であるパルス振幅を決定し、パルス位置決定部１０５−３は、現サブフレーム期間に対するパルスの相対位置であるパルス位置を決定する。本実施形態では、パルス位置決定部１０５−３は、パルスの開始タイミングをパルス位置として決定する。なお、パルスの終了タイミング、パルスの中心タイミング、等がパルス位置として決定されてもよい。パルス幅は、光源部２０１の点灯時間、光源部２０１に供給する電流の供給時間、等とも言え、パルス振幅は、光
源部２０１に供給する電流の電流値とも言える。
【００３３】
本実施形態では、現サブフレーム期間が安定期間である場合に、パルス幅決定部１０５−１は、現サブフレーム期間が不安定期間である場合のパルス幅とは異なるパルス幅を決定する。同様に、現サブフレーム期間が安定期間である場合に、パルス振幅決定部１０５−２は、現サブフレーム期間が不安定期間である場合のパルス振幅とは異なるパルス振幅を決定する。そして、パルス位置決定部１０５−３は、現サブフレーム期間における液晶パネル５００の透過率が相対的に高い期間にパルスが設定されるように、パルス位置を決定する。
【００３４】
ＢＬ駆動部１０７は、パルス決定部１０５によって決定されたパルスを各光源部２０１（ＬＥＤ２０２）に供給する駆動回路である。ＢＬ駆動部１０７は、ＬＥＤドライバとも言える。
【００３５】
バックライト制御装置１００の処理フロー例について説明する。図３は、バックライト制御装置１００の処理フロー例を示すフローチャートである。液晶表示装置の電源オン操作がユーザによって行われ、バックライト装置２００が点灯を開始すると、本処理フローが開始される。以下の処理フローでは、入力画像データの２番目以降のフレームが現フレームとして使用される。
【００３６】
ステップＳ６０１にて、パネル電圧決定部１０１は、現フレームの入力画像データに基づいて、各分割領域５０１について、対象の分割領域５０１にある複数の液晶素子にそれぞれ対応する複数の電圧の平均（平均素子電圧）を算出する。なお、前フレームの平均素子電圧は既に算出されているとする。
【００３７】
ステップＳ６０２にて、電圧差算出部１０２は、各分割領域５０１について、現フレームの平均素子電圧（ステップＳ６０１で算出された電圧）と前フレームの平均素子電圧との差（電圧差）を算出する。
【００３８】
ステップＳ６０３にて、透過率判断部１０３は、各分割領域５０１について、ステップＳ６０２で算出された電圧差と、パネル応答性データ記憶部１０４のパネル応答性データとに基づいて、現サブフレーム期間が安定期間であるか否かを判断する。ここで、現サブフレーム期間は、次に到来するサブフレーム期間である。例えば、現サブフレーム期間において液晶パネル５００の透過率の時間変化の変化幅が閾値未満である場合に、透過率判断部１０３は、現サブフレーム期間が安定期間であると判断する。一方で、現サブフレーム期間において液晶パネル５００の透過率の時間変化の変化幅が閾値以上である場合には、透過率判断部１０３は、現サブフレーム期間が安定期間ではなく不安定期間であると判断する。
【００３９】
図４は、液晶パネル５００の透過率の時間変化の一例を示す。図４の横軸は時間を示し、図４の縦軸は透過率を示す。図４の例では、フレーム期間を構成する５つのサブフレーム期間が設定されている。１番目のサフブレーム期間と３番目のサブフレーム期間のそれぞれは、変化幅ΔＴが５％未満であるため、安定期間として判断される。一方で、２番目のサフブレーム期間、４番目のサブフレーム期間、及び、５番目のサブフレーム期間のそれぞれは、変化幅ΔＴが５％以上であるため、不安定期間として判断される。なお、閾値は５％より大きくても小さくてもよい。
【００４０】
ステップＳ６０４，Ｓ６０５またはステップＳ６０６にて、各光源部２０１について、現フレームの目標光量、ＢＬ効率データ記憶部１０６のＢＬ効率データ、及び、ステップＳ６０３の判断結果に基づいて、現サブフレーム期間のパルスを決定する。
【００４１】
具体的には、ステップＳ６０３の次に、パルス決定部１０５は、各光源部２０１について、目標光量に応じて、現フレーム期間における複数のサブフレーム期間の間で等しいパルス幅、パルス振幅、及び、パルス位置を決定する。現フレーム期間における複数のサブフレーム期間の間でパルス幅、パルス振幅、及び、パルス位置が等しい状態を、「参照状態」と記載する。参照状態も、フレーム期間に目標光量の光が液晶パネル５００から発せられるような状態である。
【００４２】
現サブフレーム期間が安定期間であると判断された分割領域５０１に対応する光源部２０１のパルスは、ステップＳ６０４，Ｓ６０５で確定される。ステップＳ６０４にて、パルス振幅決定部１０５−２は、ＢＬ効率データに基づいて参照状態のパルス振幅を低減することにより、パルス振幅を決定する。ステップＳ６０５にて、パルス決定部１０５（パルス幅決定部１０５−１とパルス位置決定部１０５−３）は、ステップＳ６０４で決定されたパルス振幅と、現フレームの目標光量とに基づいて、パルス幅とパルス位置を決定する。
【００４３】
現サブフレーム期間が不安定期間であると判断された分割領域５０１に対応する光源部２０１のパルスは、ステップＳ６０６で確定される。ステップＳ６０６にて、パルス決定部１０５（パルス幅決定部１０５−１とパルス位置決定部１０５−３）は、現フレームの目標光量に基づいて、パルス幅とパルス位置を決定する。パルス振幅決定部１０５−２は、参照状態のパルス振幅を採用する。なお、不安定期間のパルス振幅は、参照状態のパルス振幅と異なっていてもよい。
【００４４】
なお、図３の処理フローは、現フレーム期間において液晶パネル５００の透過率が徐々に増加する場合の処理フローである。現フレーム期間の安定期間と不安定期間のうち、液晶パネル５００の透過率がより高い方のサブフレーム期間のパルスが、ステップＳ６０４，Ｓ６０５で確定される。そして、現フレーム期間の安定期間と不安定期間のうち、液晶パネル５００の透過率がより低い方のサブフレーム期間のパルスが、ステップＳ６０６で確定される。現フレーム期間において液晶パネル５００の透過率が徐々に低下する場合を考える。その場合には、不安定期間のパルスがステップＳ６０４，Ｓ６０５で確定され、安定期間のパルスがステップＳ６０６で確定される。
【００４５】
パルスの決定方法の具体例について説明する。図５（Ａ）〜５（Ｃ）は、パルスの決定方法の具体例を示す。具体的には、図５（Ａ）は、フレーム期間における液晶パネル５００の透過率の時間変化を示し、図５（Ｂ）は、参照状態のパルスを示し、図５（Ｃ）は、確定されたパルスを示す。図５（Ａ）〜５（Ｃ）の横軸は時間を示し、図５（Ａ）の縦軸は透過率を示し、図５（Ｂ），５（Ｃ）の縦軸は電流値を示す。
【００４６】
図５（Ｂ）に示すように、参照状態では、フレーム期間における複数のサブフレーム期間の間でパルス幅、パルス振幅、及び、パルス位置が等しい。従来技術では、一般的に、参照状態のパルスでバックライト装置２００が駆動される。なお、図５（Ｂ）では、サブフレーム期間の開始タイミングがパルス位置（パルスの開始タイミング）として決定されている。
【００４７】
本実施例では、以下の条件１，２の少なくとも一方を満たすように、パルス振幅が決定される。なお、パルス幅は特に限定されない。
条件１：安定期間と不安定期間のうち、液晶パネル５００の透過率がより高い方のサブフレーム期間のパルス振幅が、他方のサブフレーム期間のパルス振幅よりも小さい。
条件２：安定期間と不安定期間のうち、液晶パネル５００の透過率がより高い方のサブフレーム期間のパルス振幅が、参照状態でのパルス振幅よりも小さい。
【００４８】
図５（Ａ）では、フレーム期間において、液晶パネル５００の透過率が、０％から１００％まで徐々に増加する。１番目のサフブレーム期間、２番目のサブフレーム期間、及び、３番目のサブフレーム期間のそれぞれが不安定期間であり、４番目のサフブレーム期間と５番目のサブフレーム期間とのそれぞれが安定期間である。そして、安定期間の透過率は不安定期間の透過率よりも高い。
【００４９】
図５（Ｃ）では、安定期間のパルス振幅が不安定期間のパルス振幅よりも小さいため、条件１が満たされる。さらに、図５（Ｃ）では、安定期間のパルス振幅が図５（Ｂ）のパルス振幅よりも小さいため、条件２も満たされる。なお、図５（Ｃ）では、安定期間のパルス幅が不安定期間のパルス幅よりも大きく、安定期間のパルス幅が図５（Ｂ）のパルス幅よりも大きく、不安定期間のパルス幅が図５（Ｂ）のパルス幅よりも小さい。
【００５０】
そして、上述したように、パルス位置決定部１０５−３は、サブフレーム期間における液晶パネル５００の透過率が相対的に高い期間にパルスが設定されるように、パルス位置を決定する。図５（Ａ）では、サブフレーム期間において、液晶パネル５００の透過率が徐々に増加する。そのため、図５（Ｃ）では、サブフレーム期間の終了タイミングにパルスの終了タイミングが略一致するように、パルス位置が決定されている。
【００５１】
なお、液晶パネル５００の透過率の他の時間変化が生じる場合にも、同様の方法でパルスが決定される。一例として、フレーム期間おいて液晶パネル５００の透過率が徐々に低下する場合を考える。その場合には、不安定期間について、安定期間のパルス振幅や参照状態でのパルス振幅よりも小さいパルス振幅が決定される。そして、サブフレーム期間の開始タイミングにパルスの開始タイミングが略一致するように、パルス位置が決定される。
【００５２】
本実施例において得られる効果の具体例について説明する。図６（Ａ）〜６（Ｆ）は、本実施例の効果の具体例を示す。図６（Ａ）は、フレーム期間における液晶パネル５００の透過率の時間変化を示し、図５（Ａ）と同じである。図６（Ｂ）は、参照状態のパルスを示し、図５（Ｂ）と同じである。図６（Ｃ）は、確定されたパルスを示し、図５（Ｃ）と同じである。図６（Ｂ），６（Ｃ）において、パルスのサイズ（電流値×時間）は、サブフレーム期間における光源部２０１の消費電力に対応する。
【００５３】
図６（Ｄ）は、参照状態のパルスを用いた場合に液晶パネル５００に照射される光の光量を示す。図６（Ｅ）は、確定されたパルスを用いた場合に液晶パネル５００に照射される光の光量を示す。図６（Ｄ），６（Ｅ）の横軸は時間を示し、図６（Ｄ），６（Ｅ）の縦軸は光の輝度（瞬時値）を示す。図６（Ｄ），６（Ｅ）において、ドットで示された領域のサイズは、液晶パネル５００を透過しない光（損失光；無駄な光）の光量に対応する。一般的に、光源部２０１の発光効率は、光源部２０１に供給する電流の電流値が小さいほど高い。図６（Ｄ），６（Ｅ）において、斜線で示された領域のサイズは、光源部２０１の発光量の、当該光源部２０１の発光効率の増加（参照状態からの増加）による増加量に対応する。換言すれば、斜線で示された領域のサイズは、光源部２０１の発光効率の増加によって獲得された光（獲得光）の光量に対応する。
【００５４】
参照状態のパルスを用いた場合には、図６（Ｂ）に示すように、各サブフレーム期間における光源部２０１の消費電力は電力Ｐとなる。そのため、以下の式１−１に示すように、フレーム期間における光源部２０１の消費電力Ｖａ＿ＢＬは、電力（５×Ｐ）となる。
Ｖａ＿ＢＬ＝５×Ｐ  ・・・（式１−１）
【００５５】
また、参照状態のパルスを用いた場合には、図６（Ｄ）に示すように、各サブフレーム期間において液晶パネル５００に照射される光の光量は光量Ｌとなる。そのため、以下の式１−２に示すように、フレーム期間において液晶パネル５００に照射される光の光量Ｌａ＿ＢＬは、光量（５×Ｌ）となる。
Ｌａ＿ＢＬ＝５×Ｌ  ・・・（式１−２）
【００５６】
そして、参照状態のパルスを用いた場合には、図６（Ｄ）に示すように、１番目のサブフレーム期間において光量Ｑ１の損失光が生じ、２番目のサブフレーム期間において光量Ｑ２の損失光が生じ、３番目のサブフレーム期間において光量Ｑ３の損失光が生じる。そのため、以下の式１−３に示すように、フレーム期間において液晶パネル５００から発せられる光の光量Ｌａは光量（５×Ｌ−Ｑ１−Ｑ２−Ｑ３）となる。ここでは、光量（５×Ｌ−Ｑ１−Ｑ２−Ｑ３）が目標光量であるとする。
Ｌａ＝５×Ｌ−Ｑ１−Ｑ２−Ｑ３  ・・・（式１−３）
【００５７】
従って、参照状態のパルスを用いた場合には、以下の式１−４に示すように、電力効率Ｖａは効率（（（５×Ｌ−Ｑ１−Ｑ２−Ｑ３）／（５×Ｐ））×１００）となる。
Ｖａ＝（（５×Ｌ−Ｑ１−Ｑ２−Ｑ３）／（５×Ｐ））×１００
・・・（式１−４）
【００５８】
確定されたパルスを用いた場合には、図６（Ｃ）に示すように、１番目のサブフレーム期間における光源部２０１の消費電力は電力（Ｐ−ａ１）となり、２番目のサブフレーム期間における光源部２０１の消費電力は電力（Ｐ−ａ２）となる。そして、３番目のサブフレーム期間における光源部２０１の消費電力は電力（Ｐ−ａ３）、４番目のサブフレーム期間における光源部２０１の消費電力は電力（Ｐ−ａ４）、５番目のサブフレーム期間における光源部２０１の消費電力は電力（Ｐ−ａ５）となる。そのため、以下の式２−１に示すように、フレーム期間における光源部２０１の消費電力Ｖｂ＿ＢＬは、参照状態での消費電力Ｖａ＿ＢＬよりも小さい電力（５×Ｐ−ａ１−ａ２−ａ３−ａ４−ａ５）となる。
Ｖｂ＿ＢＬ＝５×Ｐ−ａ１−ａ２−ａ３−ａ４−ａ５＜Ｖａ＿ＢＬ
・・・（式２−１）
【００５９】
また、確定されたパルスを用いた場合には、図６（Ｅ）に示すように、１番目のサブフレーム期間、２番目のサブフレーム期間、及び、３番目のサブフレーム期間のそれぞれにおいて、損失光が減る。具体的には、サブフレーム期間における液晶パネル５００の透過率が相対的に高い期間にパルスを設定したことにより、損失光が減る。また、４番目のサブフレーム期間と４番目のサブフレーム期間とのそれぞれにおいて、光源部２０１の発光効率が参照状態での発光効率から増加する。具体的には、パルス振幅（電流値）を参照状態でのパルス振幅から低減したことにより、発光効率が増加する。その結果、以下の式２−２に示すように、フレーム期間において液晶パネル５００から発せられる光の光量Ｌｂは、参照状態での光量Ｌａ（目標光量）と等しい光量（５×Ｌ−Ｑ１−Ｑ２−Ｑ３）となる。
Ｌｂ＝５×Ｌ−Ｑ１−Ｑ２−Ｑ３＝Ｌａ  ・・・（式２−２）
【００６０】
従って、確定されたパルスを用いた場合には、以下の式２−３に示すように、電力効率Ｖｂは、参照状態での電力効率Ｖａよりも高い効率（（（５×Ｌ−Ｑ１−Ｑ２−Ｑ３）／（５×Ｐ−ａ１−ａ２−ａ３−ａ４−ａ５））×１００）となる。
Ｖｂ＝（（５×Ｌ−Ｑ１−Ｑ２−Ｑ３）
／（５×Ｐ−ａ１−ａ２−ａ３−ａ４−ａ５））×１００
＞Ｖａ
・・・（式２−３）
【００６１】
図６（Ｆ）は、上記計算の結果を示す。図６（Ｆ）から、目標光量を維持しながら、液晶表示装置（具体的には光源部２０１）の消費電力が参照状態での消費電力から低減され、液晶表示装置（具体的には光源部２０１）の電力効率が参照状態での電力効率から向上されることがわかる。
【００６２】
以上述べたように、本実施例によれば、サブフレーム期間における液晶パネル５００の透過率が相対的に高い期間にパルスが設定される。そして、安定期間について、不安定期間のパルス幅およびパルス振幅とは異なるパルス幅およびパルス振幅が決定される。これらにより、所望の表示輝度を実現しつつ装置の消費電力を高精度に低減できる。
【００６３】
＜実施例２＞
以下、本発明の実施例２について説明する。本実施例では、サブフレーム期間に光源部２０１を点灯させないという制御を含むことで、液晶表示装置の電力効率をより向上する例を説明する。なお、以下では、実施例１と異なる点（構成や処理）について詳しく説明し、実施例１と同じ点についての説明は省略する。
【００６４】
バックライト制御装置１００の処理フロー例について説明する。図７は、バックライト制御装置１００の処理フロー例を示すフローチャートである。なお、図３の処理フローと同様に、図７の処理フローも、現フレーム期間において液晶パネル５００の透過率が徐々に増加する場合の処理フローである。
【００６５】
実施例１と同様に、ステップＳ６０１，Ｓ６０２の処理が行われる。その後、ステップＳ７０１の処理が行われる。ステップＳ７０１にて、透過率判断部１０３は、各分割領域５０１について、現フレーム期間において液晶パネル５００の透過率が閾値以上の変化幅で時間変化するか否かを判断する。ステップＳ７０１の判断は、ステップＳ６０２で算出された電圧差と、パネル応答性データ記憶部１０４のパネル応答性データとに基づいて実現できる。閾値は、特に限定されないが、本実施例では１０％であるとする。閾値１０％以上の変化幅で時間変化すると判断された分割領域５０１については、ステップＳ７０２へ処理が進められる。閾値１０％以上の変化幅で時間変化しないと判断された分割領域５０１については、実施例１と同様に、ステップＳ６０３〜Ｓ６０６の処理によってパルスが設定される。
【００６６】
ステップＳ７０２にて、透過率判断部１０３は、処理対象の分割領域５０１について、現フレーム期間における複数のサブフレーム期間のそれぞれを、高透過率期間ＴＨまたは低透過率期間ＴＬに分類する。高透過率期間ＴＨは、複数のサブフレーム期間のうちの液晶パネル５００の透過率が相対的に高いサブフレーム期間であり、低透過率期間ＴＬは、
複数のサブフレーム期間のうちの液晶パネル５００の透過率が相対的に低いサブフレーム期間である。ステップＳ７０２の分類は、ステップＳ６０２で算出された電圧差と、パネル応答性データ記憶部１０４のパネル応答性データとに基づいて実現できる。
【００６７】
ステップＳ７０３にて、透過率判断部１０３は、処理対象の分割領域５０１について、高透過率期間ＴＨのみで液晶パネル５００からの目標光量（現フレームの目標光量）の光が実現可能であるか否かを判断する。ステップＳ７０３の判断は、ステップＳ６０２で算出された電圧差、パネル応答性データ記憶部１０４のパネル応答性データ、及び、現フレームの目標光量に基づいて実現できる。高透過率期間ＴＨのみで目標光量の光が実現可能であると判断された分割領域５０１については、ステップＳ７０４へ処理が進められる。高透過率期間ＴＨのみで目標光量の光が実現可能でないと判断された分割領域５０１については、実施例１と同様に、ステップＳ６０３〜Ｓ６０６の処理によってパルスが設定される。
【００６８】
ステップＳ７０４にて、透過率判断部１０３は、処理対象の分割領域５０１について、現サブフレーム期間が高透過率期間ＴＨであるか否かを判断する。ステップＳ７０４の判断は、ステップＳ６０２で算出された電圧差と、パネル応答性データ記憶部１０４のパネル応答性データとに基づいて実現できる。現サブフレーム期間が高透過率期間ＴＨであると判断された分割領域５０１については、ステップＳ７０５へ処理が進められる。現サブフレーム期間が高透過率期間ＴＨではなく低透過率期間ＴＬあると判断された分割領域５０１については、ステップＳ７０６へ処理が進められる。
【００６９】
ステップＳ７０５にて、パルス決定部１０５は、処理対象の分割領域５０１（処理対象の分割領域５０１に対応する光源部２０１）について、高透過率期間ＴＨである現サブフレーム期間のパルスを設定する。現フレームの目標光量、ＢＬ効率データ記憶部１０６のＢＬ効率データ、及び、ステップＳ７０２の分類結果に基づくパルスが設定される。一方で、ステップＳ７０６では、パルス決定部１０５は、低透過率期間ＴＬである現サブフレーム期間のパルスを設定しない。なお、低透過率期間ＴＬのパルスが設定されないため、高透過率期間ＴＨのパルスとして、パルス幅とパルス振幅の少なくとも一方が参照状態での値よりも大きいパルスが設定される。
【００７０】
本実施例において得られる効果の具体例について説明する。図８（Ａ）〜８（Ｆ）は、本実施例の効果の具体例を示す。図８（Ａ）は、フレーム期間における液晶パネル５００の透過率の時間変化を示し、図８（Ｂ）は、参照状態のパルスを示し、図８（Ｃ）は、確定されたパルスを示す。そして、図８（Ｄ）は、参照状態のパルスを用いた場合に液晶パネル５００に照射される光の光量を示し、図８（Ｅ）は、確定されたパルスを用いた場合に液晶パネル５００に照射される光の光量を示す。
【００７１】
図８（Ａ）では、フレーム期間において、液晶パネル５００の透過率が、１００％から０％まで徐々に低下する。そのため、フレーム期間における液晶パネル５００の透過率の変化幅は、閾値１０％以上の１００％である。また、１番目のサブフレーム期間と２番目のサブフレーム期間とのそれぞれにおいて液晶パネル５００の透過率が高い。そして、３番目のサブフレーム期間、４番目のサブフレーム期間、及び、５番目のサブフレーム期間のそれぞれにおいて液晶パネル５００の透過率が低い。そのため、１番目のサブフレーム期間と２番目のサブフレーム期間とのそれぞれが高透過率期間ＴＨに分類され、３番目のサブフレーム期間、４番目のサブフレーム期間、及び、５番目のサブフレーム期間のそれぞれが低透過率期間ＴＬに分類される。
【００７２】
ここでは、高透過率期間ＴＨのみで目標光量の光が実現可能であるとする。そのため、図８（Ｃ）に示すように、１番目のサブフレーム期間と２番目のサブフレーム期間とのそ
れぞれにパルスが設定される。３番目のサブフレーム期間、４番目のサブフレーム期間、及び、５番目のサブフレーム期間のそれぞれにはパルスは設定されない。
【００７３】
参照状態のパルスを用いた場合には、図８（Ｂ）に示すように、各サブフレーム期間における光源部２０１の消費電力は電力Ｐとなる。そのため、以下の式３−１に示すように、フレーム期間における光源部２０１の消費電力Ｖａ＿ＢＬは、電力（５×Ｐ）となる。
Ｖａ＿ＢＬ＝５×Ｐ  ・・・（式３−１）
【００７４】
また、参照状態のパルスを用いた場合には、図８（Ｄ）に示すように、各サブフレーム期間において液晶パネル５００に照射される光の光量は光量Ｌとなる。そのため、以下の式３−２に示すように、フレーム期間において液晶パネル５００に照射される光の光量Ｌａ＿ＢＬは、光量（５×Ｌ）となる。
Ｌａ＿ＢＬ＝５×Ｌ  ・・・（式３−２）
【００７５】
そして、参照状態のパルスを用いた場合には、図８（Ｄ）に示すように、３番目のサブフレーム期間において光量Ｑ１の損失光が生じ、４番目のサブフレーム期間において光量Ｑ２の損失光が生じ、５番目のサブフレーム期間において光量Ｑ３の損失光が生じる。そのため、以下の式３−３に示すように、フレーム期間において液晶パネル５００から発せられる光の光量Ｌａは光量（５×Ｌ−Ｑ１−Ｑ２−Ｑ３）となる。ここでは、光量（５×Ｌ−Ｑ１−Ｑ２−Ｑ３）が目標光量であるとする。
Ｌａ＝５×Ｌ−Ｑ１−Ｑ２−Ｑ３  ・・・（式３−３）
【００７６】
従って、参照状態のパルスを用いた場合には、以下の式３−４に示すように、電力効率Ｖａは効率（（（５×Ｌ−Ｑ１−Ｑ２−Ｑ３）／（５×Ｐ））×１００）となる。
Ｖａ＝（（５×Ｌ−Ｑ１−Ｑ２−Ｑ３）／（５×Ｐ））×１００
・・・（式３−４）
【００７７】
確定されたパルスを用いた場合には、図８（Ｃ）に示すように、１番目のサブフレーム期間における光源部２０１の消費電力は電力（Ｐ＋ａ１）となり、２番目のサブフレーム期間における光源部２０１の消費電力は電力（Ｐ＋ａ２）となる。そして、３番目のサブフレーム期間、４番目のサブフレーム期間、及び、５番目のサブフレーム期間のそれぞれにおける光源部２０１の消費電力は０である。そのため、以下の式４−１に示すように、フレーム期間における光源部２０１の消費電力Ｖｂ＿ＢＬは、電力（２×Ｐ＋ａ１＋ａ２）となる。１番目のサブフレーム期間の消費電力（Ｐ＋ａ１）と、２番目のサブフレーム期間の消費電力（Ｐ＋ａ２）とのそれぞれは、参照状態のパルスを用いた場合の消費電力Ｐよりも大きい。しかしながら、３〜５番目のサブフレーム期間の消費電力が０であるため、消費電力Ｖｂ＿ＢＬは消費電力Ｖａ＿ＢＬよりも小さい。
Ｖｂ＿ＢＬ＝２×Ｐ＋ａ１＋ａ２＜Ｖａ＿ＢＬ  ・・・（式４−１）
【００７８】
また、確定されたパルスを用いた場合には、図８（Ｅ）に示すように、低透過率期間Ｔ
Ｌ（３〜５番目のサブフレーム期間）において光源部２０１が点灯しないため、損失光が減る。その結果、以下の式４−２に示すように、フレーム期間において液晶パネル５００から発せられる光の光量Ｌｂは、参照状態での光量Ｌａ（目標光量）と等しい光量（５×Ｌ−Ｑ１−Ｑ２−Ｑ３）となる。
Ｌｂ＝５×Ｌ−Ｑ１−Ｑ２−Ｑ３＝Ｌａ  ・・・（式４−２）
【００７９】
従って、確定されたパルスを用いた場合には、以下の式４−３に示すように、電力効率Ｖｂは、参照状態での電力効率Ｖａよりも高い効率（（（５×Ｌ−Ｑ１−Ｑ２−Ｑ３）／（２×Ｐ＋ａ１＋ａ２））×１００）となる。
Ｖｂ＝（（５×Ｌ−Ｑ１−Ｑ２−Ｑ３）／（２×Ｐ＋ａ１＋ａ２））×１００
＞Ｖａ
・・・（式４−３）
【００８０】
図８（Ｆ）は、上記計算の結果を示す。図８（Ｆ）から、目標光量を維持しながら、液晶表示装置（具体的には光源部２０１）の消費電力が参照状態での消費電力から低減され、液晶表示装置（具体的には光源部２０１）の電力効率が参照状態での電力効率から向上されることがわかる。
【００８１】
以上述べたように、本実施例によれば、フレーム期間において液晶パネル５００の透過率が閾値以上の変化幅で時間変化し、且つ、高透過率期間ＴＨのみで液晶パネル５００からの目標光量の光が実現可能である場合が検出される。そして、そのような場合において、各サブフレーム期間が安定期間であるか不安定期間であるかに拘わらずに、高透過率期間ＴＨについてのみパルスが設定される。これらにより、所望の表示輝度を実現しつつ装置の消費電力をより高精度に低減できる。
【００８２】
＜実施例３＞
以下、本発明の実施例３について説明する。パルス幅が大きい場合において、表示された画像に動画ぼけなどの画質劣化が生じることがある。本実施例では、パルス幅を閾値以下に制限するという制御を含むことで、表示された画像の画質劣化を抑制する例を説明する。なお、以下では、実施例１と異なる点（構成や処理）について詳しく説明し、実施例１と同じ点についての説明は省略する。
【００８３】
バックライト制御装置１００の処理フロー例について説明する。図９は、バックライト制御装置１００の処理フロー例を示すフローチャートである。なお、図３の処理フローと同様に、図９の処理フローも、現フレーム期間において液晶パネル５００の透過率が徐々に増加する場合の処理フローである。
【００８４】
実施例１と同様に、ステップＳ６０１〜Ｓ６０３の処理が行われる。その後、現サブフレーム期間が安定期間であると判断された分割領域５０１については、ステップＳ８０１へ処理が進められる。ステップＳ８０１にて、パルス決定部１０５は、処理対象の分割領域５０１に対応する光源部２０１について、現フレームの目標光量に対応する参照状態でのパルス幅が閾値以上であるか否かを判断する。参照状態でのパルス幅が閾値以上であると判断された光源部２０１については、ステップＳ８０２，Ｓ８０３の処理によってパルスが設定される。参照状態でのパルス幅が閾値未満であると判断された光源部２０１については、実施例１と同様に、ステップＳ６０４，Ｓ６０５の処理によってパルスが設定される。
【００８５】
ステップＳ８０２にて、パルス振幅決定部１０５−２は、ステップＳ６０４と同様に、ＢＬ効率データに基づいて参照状態のパルス振幅を低減することにより、パルス振幅を決定する。ステップＳ８０３にて、パルス位置決定部１０５−３は、サブフレーム期間の終了タイミングにパルスの終了タイミングが略一致するようにパルス位置を決定し、パルス幅決定部１０５−１は、参照状態でのパルス幅を採用する。そのため、参照状態でのパルス幅が閾値以上である場合に、当該パルス幅と同じ値に、設定されるパルス幅が制限される。
【００８６】
以上述べたように、本実施例によれば、参照状態でのパルス幅が閾値以上である場合に、当該パルス幅と同じ値に、設定されるパルス幅が制限される。これにより、表示された画像の画質劣化を抑制できる。
【００８７】
なお、実施例１〜３の各機能部は、個別のハードウェアであってもよいし、そうでなくてもよい。２つ以上の機能部の機能が、共通のハードウェアによって実現されてもよい。１つの機能部の複数の機能のそれぞれが、個別のハードウェアによって実現されてもよい。１つの機能部の２つ以上の機能が、共通のハードウェアによって実現されてもよい。また、各機能部は、ハードウェアによって実現されてもよいし、そうでなくてもよい。例えば、装置が、プロセッサと、制御プログラムが格納されたメモリとを有していてもよい。そして、装置が有する少なくとも一部の機能部の機能が、プロセッサがメモリから制御プログラムを読み出して実行することにより実現されてもよい。
【００８８】
なお、実施例１〜３はあくまで一例であり、本発明の要旨の範囲内で実施例１〜３の構成を適宜変形したり変更したりすることにより得られる構成も、本発明に含まれる。実施例１〜３の構成を適宜組み合わせて得られる構成も、本発明に含まれる。
【００８９】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００９０】
１００：バックライト制御装置  １０３：透過率判断部  １０５：パルス決定部
１０５−１：パルス幅決定部  １０５−２：パルス振幅決定部
１０５−３：パルス位置決定部
【図１】
2019105802.tif 000003
【図２】
2019105802.tif 000004
【図３】
2019105802.tif 000005
【図４】
2019105802.tif 000006
【図５】
2019105802.tif 000007
【図６】
2019105802.tif 000008
【図７】
2019105802.tif 000009
【図８】
2019105802.tif 000010
【図９】
2019105802.tif 000011